(57)【特許請求の範囲】
【請求項１】
商品見本を陳列する商品見本陳列部と、
この商品見本陳列部に陳列される商品見本毎に設けられ、商品見本を識別する商品ＩＤを表示する商品ＩＤ表示部と、
前記商品見本陳列部の領域外に集約して配置され、前記商品ＩＤを押下することにより商品を選択する商品選択手段と、
この商品選択手段により選択された選択商品の商品ＩＤを表示する商品ＩＤ表示手段と、
前記選択商品の購入を決定する決定キーと、
前記選択商品を投出する商品投出手段と、
投入される貨幣を受け入れて処理する貨幣処理部と、
この貨幣処理部に前記選択商品の価格以上の投入金額があって、前記決定キーが操作されることにより前記商品投出手投にて選択商品を投出させ、選択商品の投出後も選択商品の価格以上の残金があるときに選択商品を続け買い可能と判断する制御手段とを具備し、
前記制御手段は、選択商品を続け買い可能と判断したとき、選択商品の投出後も前記商品ＩＤ表示手段での商品ＩＤの初期化を行わず、選択商品の商品ＩＤの表示を継続させ、前記商品選択手段の操作無しに決定キーが操作されることにより、前記商品投出手段にて選択商品を続けて投出させ、かつ、前記商品投出手段にて選択商品を投出してから商品選択手段または決定キーの操作無しに所定の投出待ち時間が経過したとき、前記商品投出手段にて選択商品を続けて投出させる
ことを特徴とする自動販売機。
【請求項２】
商品見本を陳列する商品見本陳列部と、
この商品見本陳列部に陳列される商品見本毎に設けられ、商品見本を識別する商品ＩＤを表示する商品ＩＤ表示部と、
前記商品見本陳列部の領域外に集約して配置され、前記商品ＩＤを押下することにより商品を選択する商品選択手段と、
この商品選択手段により選択された選択商品の商品ＩＤを表示する商品ＩＤ表示手段と、
前記選択商品を投出する商品投出手段と、
投入される貨幣を受け入れて処理する貨幣処理部と、
この貨幣処理部に前記選択商品の価格以上の投入金額があって、前記商品選択手投にて商品を選択してから所定の投出待ち時間が経過したとき、前記商品投出手段にて選択商品を投出させ、選択商品の投出後も選択商品の価格以上の残金があるときに選択商品を続け買い可能と判断する制御手段とを具備し、
前記制御手段は、選択商品を続け買い可能と判断したとき、選択商品の投出後も前記商品ＩＤ表示手段での商品ＩＤの初期化を行わず、選択商品の商品ＩＤの表示を継続させ、前記商品投出手段にて選択商品を投出してから所定の待ち時間が経過したとき、前記商品投出手段にて選択商品を続けて投出させる
ことを特徴とする自動販売機。
【請求項３】
選択商品の購入を決定する決定キーを具備し、
制御手段は、選択商品を続け買い可能と判断したとき、商品選択手投にて商品を選択してから所定の投出待ち時間が経過するまでに決定キーが操作されることにより、商品投出手段にて選択商品を続けて投出させる
ことを特徴とする請求項２記載の自動販売機。
【発明の詳細な説明】
【０００１】
【発明の属する技術分野】
本発明は、商品を投出する自動販売機に関する。
【０００２】
【従来の技術】
従来、商品見本陳列部の領域外にテンキーなどを集約して配置した自動販売機としては、例えば、実開昭６０−７６４７６号公報に記載されている自動販売機が知られている。
【０００３】
この自動販売機では、商品見本陳列部に商品見本（商品表示）を陳列するとともに各商品見本毎に商品を識別する商品番号を表示し、この商品見本陳列部の領域外にテンキーを配設しており、そして、利用者により、貨幣を投入し、購入しようとする商品見本の商品番号をテンキーで入力することで、選択された番号を表示し、さらに、表示された商品番号の商品の購入を決定する販売キーを押下することにより、選択商品を投出販売している。
【０００４】
さらに、販売キーの押下により商品を投出した後、残金計算をして、続けて販売可能であれば、再販売可能とし、テンキーによる商品番号の入力から再販売手続きを続行している。
【０００５】
【発明が解決しようとする課題】
しかしながら、従来の自動販売機では、一旦商品を購入した後、同じ商品を続けて購入する続け買いをする場合、再度、テンキーにより商品番号を入力しなければならず、キー操作が煩雑となる問題がある。
【０００６】
本発明は、このような点に鑑みなされたもので、同じ商品を続けて購入する続け買いをする場合に、商品を再度選択する必要がなく、商品の続け買いを許容し、続け買い時の操作性を向上できる自動販売機を提供することを目的とする。
【０００７】
【課題を解決するための手段】
請求項１記載の自動販売機は、商品見本を陳列する商品見本陳列部と、この商品見本陳列部に陳列される商品見本毎に設けられ、商品見本を識別する商品ＩＤを表示する商品ＩＤ表示部と、前記商品見本陳列部の領域外に集約して配置され、前記商品ＩＤを押下することにより商品を選択する商品選択手段と、この商品選択手段により選択された選択商品の商品ＩＤを表示する商品ＩＤ表示手段と、前記選択商品の購入を決定する決定キーと、前記選択商品を投出する商品投出手段と、投入される貨幣を受け入れて処理する貨幣処理部と、この貨幣処理部に前記選択商品の価格以上の投入金額があって、前記決定キーが操作されることにより前記商品投出手投にて選択商品を投出させ、選択商品の投出後も選択商品の価格以上の残金があるときに選択商品を続け買い可能と判断する制御手段とを具備し、前記制御手段は、選択商品を続け買い可能と判断したとき、選択商品の投出後も前記商品ＩＤ表示手段での商品ＩＤの初期化を行わず、選択商品の商品ＩＤの表示を継続させ、前記商品選択手段の操作無しに決定キーが操作されることにより、前記商品投出手段にて選択商品を続けて投出させ、かつ、前記商品投出手段にて選択商品を投出してから商品選択手段または決定キーの操作無しに所定の投出待ち時間が経過したとき、前記商品投出手段にて選択商品を続けて投出させるものである。
【０００８】
そして、制御手段により、貨幣処理部に選択商品の価格以上の投入金額があって決定キーが操作されることにより選択商品を投出させ、選択商品の投出後も商品ＩＤ表示手段での商品ＩＤの表示を継続させるとともに、選択商品の価格以上の残金があるときに選択商品を続け買い可能と判断し、選択商品を続け買い可能と判断したとき、選択商品の投出後も商品ＩＤ表示手段での商品ＩＤの初期化を行わず、選択商品の商品ＩＤの表示を継続させ、商品選択手段の操作無しに決定キーが操作されることにより、商品投出手段にて選択商品を続けて投出させることにより、同じ商品を続けて購入する続け買いをする場合に、商品を再度選択する必要がなく、商品の続け買いを許容する。さらに、制御手段により、選択商品を続け買い可能と判断したとき、前回の選択商品を投出してから商品選択手段または決定キーの操作無しに所定の投出待ち時間が経過したら、選択商品を続けて自動的に投出させることにより、続け買いのための特別な操作をする必要なく、商品の続け買いを可能とする。
【０００９】
請求項２記載の自動販売機は、商品見本を陳列する商品見本陳列部と、この商品見本陳列部に陳列される商品見本毎に設けられ、商品見本を識別する商品ＩＤを表示する商品ＩＤ表示部と、前記商品見本陳列部の領域外に集約して配置され、前記商品ＩＤを押下することにより商品を選択する商品選択手段と、この商品選択手段により選択された選択商品の商品ＩＤを表示する商品ＩＤ表示手段と、前記選択商品を投出する商品投出手段と、投入される貨幣を受け入れて処理する貨幣処理部と、この貨幣処理部に前記選択商品の価格以上の投入金額があって、前記商品選択手投にて商品を選択してから所定の投出待ち時間が経過したとき、前記商品投出手段にて選択商品を投出させ、選択商品の投出後も選択商品の価格以上の残金があるときに選択商品を続け買い可能と判断する制御手段とを具備し、前記制御手段は、選択商品を続け買い可能と判断したとき、選択商品の投出後も前記商品ＩＤ表示手段での商品ＩＤの初期化を行わず、選択商品の商品ＩＤの表示を継続させ、前記商品投出手段にて選択商品を投出してから所定の待ち時間が経過したとき、前記商品投出手段にて選択商品を続けて投出させるものである。
【００１０】
そして、制御手段により、貨幣処理部に選択商品の価格以上の投入金額があって、商品選択手投にて商品を選択してから所定の投出待ち時間が経過したとき、商品投出手段にて選択商品を投出させ、選択商品の投出後も選択商品の価格以上の残金があるときに選択商品を続け買い可能と判断し、選択商品を続け買い可能と判断したとき、選択商品の投出後も商品ＩＤ表示手段での商品ＩＤの初期化を行わず、選択商品の商品ＩＤの表示を継続させ、商品投出手段にて選択商品を投出してから所定の待ち時間が経過したとき、前記商品投出手段にて選択商品を続けて投出させるので、同じ商品を続けて購入する続け買いをする場合に、商品を再度選択する必要がなく、選択商品の続け買いを許容でき、続け買い時の操作性を向上できる。
【００１１】
請求項３記載の自動販売機は、請求項２記載の自動販売機において、選択商品の購入を決定する決定キーを具備し、制御手段は、選択商品を続け買い可能と判断したとき、商品選択手投にて商品を選択してから所定の投出待ち時間が経過するまでに決定キーが操作されることにより、商品投出手段にて選択商品を続けて投出させるものである。
【００１２】
そして、制御手段は、選択商品を続け買い可能と判断したとき、商品選択手投にて商品を選択してから所定の投出待ち時間が経過するまでに決定キーが操作されることにより、商品投出手段にて選択商品を続けて投出させるので、同じ商品を続けて購入する続け買いをする場合に、商品を再度選択する必要がなく、選択商品を続け買いできる。
【００１３】
【発明の実施の形態】
以下、本発明の一実施の形態を図面を参照して説明する。
【００１４】
図１に自動販売機の正面図を示し、自動販売機の機体11は、前面を開口した箱形の本体12、およびこの本体12の一側（図１中左側）を軸として回動可能に取り付けられて本体12の前面を開閉する扉体（外扉）13を有している。
【００１５】
扉体13の前面には、右寄り位置に操作部21が集約して配置されるとともにこの操作部21の下方に硬貨返却口22が配置され、中央下方位置に商品取出口23が配置され、これら操作部21、硬貨返却口22および商品取出口23を除く扉体13の略全域の広い範囲にわたって商品見本陳列部24が形成されている。
【００１６】
商品見本陳列部24は、扉体13に形成された開口部26に例えば透明なアクリル板などの透明板27を嵌め込んで構成されている。そして、商品見本陳列部24の内部には、例えばたばこなどの箱形状の商品見本Ｔが複数陳列され、各商品見本Ｔ毎に商品を識別するための商品ＩＤとして本実施の形態では商品番号が表示された商品ＩＤ表示部（商品番号表示部）28が設けられている。なお、図１には、一部の商品見本Ｔにのみ商品ＩＤ表示部28を示し、他は省略している。
【００１７】
操作部21には、投入金額や残余額を表示する金額表示手段31、各種キーなどを集中配置した商品選択手段としての集中キー操作部32、例えば２個の商品のまとめ買いを指示するまとめ買いボタン33、紙幣を挿入する紙幣投入口35、硬貨を投入する硬貨投入口36、および紙幣や硬貨の返却を指示する返却レバー37が配置されている。
【００１８】
次に、図２に自動販売機の操作部21の正面図を示す。
【００１９】
金額表示手段31は、投入金額や残余額を表示する例えば４桁の７セグメントＬＥＤで構成される金額表示部41を有するとともに、紙幣の投入を中止する「お札中止」、１０円硬貨の釣銭不足を示す「１０円つり切れ」、および１００円硬貨の釣銭不足を示す「１００円つり切れ」の表示ランプ42，43，44を有している。
【００２０】
集中キー操作部32は、商品選択ボタンとして、購入したい商品の商品番号に対応した数字を押下して入力する０〜９のテンキー46を有しているとともに、購入を決定する決定キー47、および入力した商品番号を訂正する訂正キー48を有している。
【００２１】
集中キー操作部32には、２桁の７セグメントＬＥＤで構成されて商品番号を表示する商品ＩＤ表示手段（商品番号表示手段）としての選択商品番号表示部51が配置されているとともに、入力された商品番号の商品が売り切れのとき点灯する売切ランプ52が配置されている。
【００２２】
なお、本体12の内部には、種類別に商品を収納するとともに収納された商品を投出する図示しない商品コラムが配置されている。この各商品コラムから投出される商品は、図示しない商品シュートを介して商品取出口23へ案内される。
【００２３】
また、扉体13の内部には、紙幣投入口35および硬貨投入口36から投入される紙幣や硬貨などの貨幣を受け入れて処理するとともに釣銭などを硬貨返却口22に払い出す貨幣処理部（図３に示す）が配置されている。
【００２４】
次に、図３に自動販売機のブロック図を示す。
【００２５】
自動販売機を制御する制御部61には、記憶部62、入力部63、リモコン端末64、情報表示部65、貨幣処理部66、および商品投出手段67などが接続されている。
【００２６】
記憶部62は、制御に必要な各情報を記憶するもので、投出された商品の商品番号を記録する取引ログ記録手段の機能を有している。この取引ログ記録手段の機能では、投出された商品が制御部61の自動投出処理により投出された否かを区別して記録する。
【００２７】
入力部63は、まとめ買いボタン33、集中キー操作部32のテンキー46、決定キー47、および訂正キー48などを含み、これらの操作による信号が制御部61に入力される。
【００２８】
リモコン端末64は、自動販売機の内部に設けられており、商品を収納する商品コラムや価格の設定、販売取引内容の確認などのため、管理者によって操作される図示しない操作手段や、図４に示すように、各種の設定事項や記憶部62に記録された取引ログの情報などを表示する液晶パネルなどで構成される表示部64aを有している。リモコン端末64は、投出待ち時間を設定する投出待ち時間設定手段、自動投出処理の実行と非実行とを切り換える自動投出処理切換設定手段として機能する。
【００２９】
情報表示部65は、金額表示手段31、選択商品番号表示部51、売切ランプ52などを含み、これらの表示動作が制御部61によって制御される。
【００３０】
貨幣処理部66は、投入貨幣を処理して投入金額データを制御部61に送るとともに制御部61の制御で精算時の返却処理がなされる。
【００３１】
商品投出手段67は、各商品コラム毎に設けられ、制御部61の制御によって商品コラムに収納された商品を投出する。
【００３２】
そして、制御部61は、集中キー操作部32により商品が選択されてからの投出待ち時間Ｔ1を計時する計時手段（タイマ）を含む各種のタイマの機能、集中キー操作部32により商品が選択されてから所定の投出待ち時間Ｔ1が経過したとき、商品投出手段67により選択された商品を投出させる自動投出処理を実行する自動投出処理に関する制御手段の機能、貨幣処理部66に選択商品の価格以上の投入金額があって決定キー47が押下されることにより商品投出手投67にて選択商品を投出させ、選択商品の投出後も選択商品番号表示部51での商品番号の表示を継続させるとともに、選択商品の価格以上の残金があるときに選択商品を続け買い可能と判断する続け買いに関する制御手段の機能を有している。
【００３３】
さらに、自動投出処理に関する制御手段の機能では、決定キー47によって選択された商品を商品投出手段67により投出させるとともに、リモコン端末64（自動投出処理切換設定手段）によって自動投出処理を実行しないように設定可能とする機能、貨幣処理部66が貨幣の投入を検知したとき、商品番号の未選択の状態とする機能を有している。
【００３４】
さらに、続け買いに関する制御手段の機能では、続け買い可能と判断したとき、決定キー47が押下されることにより、商品投出手段67にて選択商品を投出させる機能、続け買い可能と判断したとき、商品投出手段67にて選択商品を投出してから所定の投出待ち時間Ｔ1が経過したとき、商品投出手段67にて選択商品を続けて投出させる機能、または、続け買い可能と判断したとき、商品投出手段67にて選択商品を投出してから所定の精算待ち時間Ｔ2が経過したとき、貨幣処理部66で精算処理させる機能を有している。
【００３５】
次に、本実施の形態の作用を説明する。
【００３６】
まず、制御部61の制御に基づく販売動作について図５および図６のフローチャートを参照して説明する。
【００３７】
自動販売機の販売待機状態において、利用者により紙幣投入口35や硬貨投入口36に貨幣を投入し、貨幣処理部66で貨幣の投入を検知すると（ステップ１）、自動販売機は販売動作状態となる。
【００３８】
販売待機中にテンキー46が操作されて選択商品番号表示部51に商品番号が表示されている場合があるので、販売待機状態での貨幣投入により、記憶部62が記憶している商品番号を消去するとともに、選択商品番号表示部51の表示を消去するか、例えば「０」や「−」などの商品が選訳されていない状態などに初期化して表示する（ステップ２）。こうすることにより、利用者が意図しない商品番号の商品を購入してしまうトラブルを防止できる。
【００３９】
貨幣処理部66に受け入れた貨幣の投入金額を金額表示手段31の金額表示部41に表示し（ステップ３）、テンキー46による商品番号の入力（ステップ４）、または返却レバー37による返金操作（ステップ５）に待機する。なお、返却レバー37による返金操作がなされた場合には、次の精算処理（ステップ33）に移行する。
【００４０】
利用者により、購入しようとする商品見本Ｔに付された商品番号をテンキー46で入力すると、最初に、テンキー46が操作された時点で、制御部61のタイマのｔ1とｔ2をそれぞれ０に初期化する（ステップ６）。ｔ1は、テンキー46が操作され、販売可能な商品の商品番号が選択されてから経過した時間であり、所定の投出待ち時間Ｔ1以上となったとき、商品を自動的に投出する自動投出処理を実行するためのものである。また、ｔ1は、続け買いのときには、商品を投出してから経過した時間であり、同様に、所定の投出待ち時間Ｔ1以上となったとき、商品を自動的に投出する自動投出処理を実行するためのものである。ただし、続け買いの場合であっても、テンキー46の操作により商品選択が更新されたときは、その時点からｔ1を計時しなおす。また、ｔ2は、最後に商品が投出されてから経過した時間であり、所定の精算待ち時間Ｔ2の間、商品番号の変更などがない場合、残金を自動的に精算する自動精算処理を実行するためのものである。
【００４１】
テンキー46の操作により選択された商品番号を選択商品番号表示部51に表示する（ステップ７）。
【００４２】
選択された商品が売り切れていないか判定する（ステップ８）。
【００４３】
選択された商品が売り切れの場合は、売切ランプ52を点灯し（ステップ９）、記憶部62に設定される売切フラグをオンし（ステップ10）、次の処理（ステップ18）に移行する。
【００４４】
選択された商品が売り切れでない場合は、売切ランプ52を消灯し（ステップ11）、記憶部62に設定される売切フラグをオフする（ステップ12）。
【００４５】
選択された商品が売り切れでない場合は、さらに、残金（最初の販売、つまり、一度も商品を投出していない状態では、投入された貨幣の金額に等しい）が、選択された商品の価格以上であるか判定する（ステップ13）。
【００４６】
投入された貨幣の金額が、選択された商品の価格以上でない場合は、記憶部62に設定される金額不足フラグをオンし（ステップ14）、次の処理（ステップ18）に移行する。
【００４７】
投入された貨幣の金額が、選択された商品の価格以上の場合は、記憶部62に設定される金額不足フラグをオフする（ステップ15）。
【００４８】
このとき、商品が売り切れでなく、残金も商品の価格以上であるので、商品販売可能な状態と判断し（ステップ16）、１回目の販売であれば商品の自動投出処理が許可されるため、ｔ1の計時を開始し（ステップ17）、次の商品投出待機処理（ステップ18〜26）に移行する。また、２回目以降の販売（続け買い）であれば自動投出処理は許可されないので、ｔ1の計時は開始せず、次処理（ステップ18）に移行する。
【００４９】
商品投出待ちの間に、返却レバー37が操作されれば（ステップ18）、精算処理をするため、次の精算処理（ステップ33）に移行する。
【００５０】
貨幣が追加投入された場合は（ステップ19）、金額表示手段31の金額表示部41の表示を更新するとともに（ステップ20）、増加した投入金額が、選択された商品の価格以上であるかを再度判定するため、ステップ13の処理へ移行する。
【００５１】
例えば２桁の商品番号を入力する場合は、テンキー46を２回押下しなければならないので、ステップ４の処理でテンキー46の押下が１回あってから、再度、テンキー46の入力がある場合がある（ステップ21）。このときは、ステップ６の処理に移行し、ｔ1およびｔ2を初期化するとともに、選択商品番号表示部51の表示を更新する。
【００５２】
訂正キー48が押下された場合は（ステップ22）、ステップ４の処理に移行し、テンキー46による商品番号の入力待ち状態となる。
【００５３】
最後に商品が投出されてから経過した時間ｔ2が、所定の精算待ち時間Ｔ2以上となった場合は（ステップ23）、自動精算処理を実行するため、次の精算処理（ステップ33）に移行する。ただし、一度も商品を投出していない場合は、ｔ2の計時は開始されていないので、自動精算されることはない。
【００５４】
テンキー46が操作され、販売可能な商品の商品番号が設定されてから経過した時間ｔ1が、所定の投出待ち時間Ｔ1以上となったとき（ステップ24）、商品を自動的に投出する自動投出処理を実行するため、次の処理（ステップ26）に移行する。
【００５５】
利用者の購入意思を確認するための決定キー47が押下されたとき（ステップ25）も、商品を投出するため、次の処理（ステップ26）に移行する。
【００５６】
自動投出処理、または、決定キー47が押下されたことによる投出となったとき、記憶部62の売切フラグと金額不足フラグが共にオフの状態であれば、商品の販売が可能な状態と判断し（ステップ26）、選択商品を投出する（ステップ27）。売切フラグと金額不足フラグのいずれかがオンの状態であれば、販売不可と判断しステップ18に戻り、商品投出待機状態となる。
【００５７】
投出された商品の商品番号を記憶部62の取引ログに記録する（ステップ28）。このとき、商品が自動投出処理により投出されたか否かを区別して記録する。
【００５８】
商品を投出すると、投入金額から投出した商品の価格を減算した残金が、自動販売機の販売可能な商品の最低価格より少ないか判断し（ステップ29）。少ない場合は、自動精算処理を実行するため、次の精算処理（ステップ33）に移行する。また、残金が最低価格以上の場合は、続け買いのため、次の処理（ステップ30〜32）を経て、ステップ８の処理に戻る。
【００５９】
つまり、残金の金額を金額表示手段31の金額表示部41に表示し（ステップ30）、ｔ1およびｔ2を初期化し（ステップ31）、ｔ2の計時を開始する（ステップ32）。ｔ2は、前述したように、最後に商品が投出されてから経過した時間であり、所定の精算待ち時間Ｔ2の間、商品が投出されない場合は、残金を自動的に精算する自動精算処理を実行するためのもので、自動精算の判定はステップ23で処理する。
【００６０】
また、ステップ５、18、23、29から精算処理に移行した場合には、残金を返却し（ステップ33）、金額表示手段31の金額表示部41の表示をクリアし（ステップ34）、選択商品番号表示部51の表示をクリアし（ステップ35）、販売待機状態に戻る。
【００６１】
そして、投出した商品の商品番号を取引ログとして記憶部62に記憶する際、自動投出処理による取引か否かを判別できるように記憶することにより、自動投出処理によるトラブルに対応できる。取引ログは、リモコン端末64の表示部64aに表示させることができる。
【００６２】
図４に、表示部64aに表示される取引ログの例を示す。貨幣投入から精算までの１回の取引において、最初に商品番号が「２０」の商品を選択して自動投出処理により商品を払い出し、２回目に商品番号が「３５」の商品を選択して決定キー47を押下して商品を払い出し、３回目に商品番号が「１０」の商品を選択して決定キー47を押下して商品を払い出し、最後に返却レバー37を操作して精算した場合を示す。商品番号の「２０」の前に表示された「Ａ」が自動投出処理により商品を払い出したことを示している。
【００６３】
以上のように、商品見本陳列部24の領域外に集中キー操作部32を集約して配置した自動販売機において、集中キー操作部32で商品番号が選択されてから所定の投出待ち時間Ｔ1が経過したとき、選択された商品を投出させる自動投出処理を実行するので、商品の購入を決定する操作無しに商品を自動的に投出でき、商品の購入を決定する操作忘れにより商品が投出されないという不具合を解消できる。
【００６４】
リモコン端末64によって制御部61が自動投出処理を実行しないようにも設定でき、自動投出処理を実行しないように設定された場合には決定キー47によって選択された商品を投出させることができる。
【００６５】
取引ログの記録により、投出された商品の商品番号を記録できるとともに、投出された商品が制御部61の自動投出処理により投出された否かを区別して記録できるので、記録の確認によって自動投出処理を実行したことを把握でき、自動投出処理によるトラブルに対処できる。
【００６６】
貨幣処理部66が貨幣の投入を検知したとき、商品番号の未選択の状態とするので、前の貨幣投入により選択された商品番号を一旦消去して、意図しない商品が自動的に払い出されるのを防止できる。
【００６７】
また、制御部61により、貨幣処理部66に選択商品の価格以上の投入金額があって決定キー47が押下されることにより選択商品を投出させ、選択商品の投出後も選択商品番号表示部51での商品番号の表示を継続させるとともに、選択商品の価格以上の残金があるときに選択商品を続け買い可能と判断するので、同じ商品を続けて購入する続け買いをする場合に、商品を再度選択する必要がなく、商品の続け買いを許容でき、続け買い時の操作性を向上できる。
【００６８】
制御部61により、続け買い可能と判断したとき、決定キー47が押下されることにより選択商品を続けて投出させるので、商品を再度選択する必要がなく、商品を続け買いできる。
【００６９】
制御部61により、続け買い可能と判断したとき、前回の選択商品を投出してから所定の精算待ち時間Ｔ2が経過したら、自動的に貨幣処理部66で精算処理させるので、精算のための特別な操作をする必要がなく、残金の精算ができ、操作性を向上できる。
【００７０】
なお、商品番号の入力から選択商品を自動投出するまでの投出待ち時間Ｔ1は、自動販売機の利用環境などに応じて、自動販売機の内部に設けたリモコン端末64により設定することができる。例えば、５秒、１０秒、１５秒の中から選択できるようにしてもよいし、５〜５９秒の任意の時間を選択できるようにしてもよい。また、設定がされていないときのデフォルト値として、５秒と設定しておいてもよい。
【００７１】
また、投出待ち時間Ｔ1の設定と同様に、商品払い出しから自動精算までの精算待ち時間Ｔ2を、自動販売機の利用環境などに応じて、自動販売機１の内部に設けたリモコン端末64により設定することができる。
【００７２】
また、リモコン端末64により、自動投出処理をしないようにも設定することができる。自動投出処理をしない場合は、決定キー47を押下しない限り商品は払い出されない。
【００７３】
また、続け買いの場合は、自動投出不可、つまり、決定キー47を押さない限り、商品は投出しないように設定し、操作に不慣れな利用者が意図せず、２個以上の商品を購入してしまうトラブルを避けるようにしているが、場合によっては、続け買いであっても自動投出が可能なように設定してもよい。すなわち、制御部61により、続け買い可能と判断したとき、前回の選択商品を投出してから所定の投出待ち時間Ｔ1が経過したら、選択商品を続けて自動的に投出させることにより、続け買いのための特別な操作をする必要なく、商品の続け買いができ、続け買い時の操作性を向上できる。なお、この場合は、自動精算の機能を無効としておく。
【００７４】
なお、商品ＩＤとしては、商品番号に限らず、アルファベットや商品名などでもよい。この場合、商品選択手段としては、アルファベットに対応したキーや、商品名毎に対応した選択キーなどを設けることで構成し、また、売切表示手段および商品ＩＤ表示手段としては、アルファベットや商品名を表示するように構成する。
【００７５】
【発明の効果】
請求項１記載の自動販売機によれば、制御手段により、貨幣処理部に選択商品の価格以上の投入金額があって、決定キーが操作されることにより選択商品を投出させ、選択商品の投出後も選択商品の価格以上の残金があるときに選択商品を続け買い可能と判断し、選択商品を続け買い可能と判断したとき、選択商品の投出後も商品ＩＤ表示手段での商品ＩＤの初期化を行わず、選択商品の商品ＩＤの表示を継続させ、商品選択手段の操作無しに決定キーが操作されることにより、商品投出手段にて選択商品を続けて投出させるので、同じ商品を続けて購入する続け買いをする場合に、商品を再度選択する必要がなく、決定キーが操作されることにより選択商品の続け買いを許容でき、続け買い時の操作性を向上できる。さらに、制御手段により、選択商品を続け買い可能と判断したとき、前回の選択商品を投出してから商品選択手段または決定キーの操作無しに所定の投出待ち時間が経過したら、選択商品を続けて自動的に投出させるので、続け買いのための特別な操作をする必要なく、商品の続け買いができ、続け買い時の操作性を向上できる。
【００７６】
請求項２記載の自動販売機によれば、制御手段により、貨幣処理部に選択商品の価格以上の投入金額があって、商品選択手投にて商品を選択してから所定の投出待ち時間が経過したとき、商品投出手段にて選択商品を投出させ、選択商品の投出後も選択商品の価格以上の残金があるときに選択商品を続け買い可能と判断し、選択商品を続け買い可能と判断したとき、選択商品の投出後も商品ＩＤ表示手段での商品ＩＤの初期化を行わず、選択商品の商品ＩＤの表示を継続させ、商品投出手段にて選択商品を投出してから所定の待ち時間が経過したとき、前記商品投出手段にて選択商品を続けて投出させるので、同じ商品を続けて購入する続け買いをする場合に、商品を再度選択する必要がなく、選択商品の続け買いを許容でき、続け買い時の操作性を向上できる。
【００７７】
請求項３記載の自動販売機によれば、請求項２記載の自動販売機の効果に加えて、制御手段は、選択商品を続け買い可能と判断したとき、商品選択手投にて商品を選択してから所定の投出待ち時間が経過するまでに決定キーが操作されることにより、商品投出手段にて選択商品を続けて投出させるので、同じ商品を続けて購入する続け買いをする場合に、商品を再度選択する必要がなく、選択商品を続け買いできる。
【図面の簡単な説明】
【図１】  本発明の一実施の形態を示す自動販売機の正面図である。
【図２】  同上自動販売機の操作部の正面図である。
【図３】  同上自動販売機のブロック図である。
【図４】  同上自動販売機のリモコン端末の表示部に表示される表示例を示す説明図である。
【図５】  同上自動販売機の販売動作を説明するフローチャートである。
【図６】  同上図５に続くフローチャートである。
【符号の説明】
24    商品見本陳列部
28    商品ＩＤ表示部
32    商品選択手段としての集中キー操作部
47    決定キー
51    商品ＩＤ表示手段としての選択商品番号表示部
61    制御手段の機能を有する制御部
66    貨幣処理部
67    商品投出手段
Ｔ    商品見本
【図１】
0003934307.tif 000002
【図２】
0003934307.tif 000003
【図３】
0003934307.tif 000004
【図４】
0003934307.tif 000005
【図５】
0003934307.tif 000006
【図６】
0003934307.tif 000007